(57)【要約】【課題】断熱性能を損なうことなしに屋根材同士をつなぎ合わせることができるサンドイッチタイプの嵌合式屋根材を提案する。【解決手段】屋根材本体を、内皮材との間で挟持された芯材を備えたもので構成する。芯材の長手方向の端部には、水下側に隣接配置する他の屋根材の芯材の端面に形成された上向き傾斜端面に当接可能な下向き傾斜端面と、水上側に隣接配置する他の屋根材の芯材の端面に形成された下向き傾斜端面に当接可能な上向き傾斜端面とを設ける。【選択図】図１
2020111988.tif 000002
【特許請求の範囲】
【請求項１】
梁間方向に沿って延伸する一対の長尺縁部とこれら各長尺縁部を挟み込んで桁方向に沿って延伸する一対の短尺縁部とによって区画された輪郭形状を有する屋根材本体と、該屋根材本体の各長尺縁部のそれぞれに沿って一体連結する上ハゼ、下ハゼとを備え、
該各短尺縁部を、該屋根材本体の水下側、水上側にそれぞれ隣接配置する他の屋根材の短尺縁部に重ね合わせて屋根材同士を梁間方向へ接続する一方、該上ハゼ、下ハゼを、桁方向に隣接配置する別の屋根材の下ハゼ、上ハゼにそれぞれ嵌合させて屋根材同士を桁方向へ接続することにより建築構造物の屋根を葺きあげる嵌合式の屋根材であって、
該屋根材本体は、一方の短尺縁部に設けられ、水上側に隣接配置される他の屋根材の短尺縁部の下側において重ね合わさる下継手と、もう一方の短尺縁部に設けられ、水下側に隣接配置される他の屋根材の短尺縁部の上側において重ね合わさる上継手と、その背面に設けられ、内皮材との間にて挟持された芯材とを備え、
前記芯材は、水下側に隣接配置する他の屋根材の芯材の端面に形成された上向き傾斜端面に当接可能な下向き傾斜端面と、水上側に隣接配置する他の屋根材の芯材の端面に形成された下向き傾斜端面に当接可能な上向き傾斜端面とを有することを特徴とする嵌合式屋根材。
【請求項２】
前記下継手は、該屋根材本体の短尺縁部の全域にわたってつながる板状体と、該板状体の幅方向の端縁および該上ハゼの端部につながるとともに水上側に隣接配置する他の屋根材の上ハゼに嵌合可能な第一のハゼと、該板状体のもう一方の幅方向の縁部および該下ハゼの端部につながるとともに水上側に隣接配置する他の屋根材の下ハゼに嵌合可能な第二のハゼと、前記板状体の先端縁にて立ち上がり水上側に隣接配置する他の屋根材との重ね合わせの際に折り返されて水上側に隣接配置する他の屋根材に連係可能な起立係止片とを有し、
該上継手は、該屋根材本体に面一状態で一体連結する第一の板状体と、該第一の板状体の幅方向の各端部および該上ハゼ、下ハゼにそれぞれ面一状態で一体連結する第三のハゼ、第四のハゼと、前記第一の板状体の先端縁において垂れ下がり水下側に隣接配置する他の屋根材との重ね合わせの際に折り返されて水下側に隣接配置する他の屋根材に連係可能な垂下係止片とを有することを特徴とする請求項１に記載した嵌合式屋根材。
【請求項３】
前記芯材は、発泡プラスチック系または鉱物繊維系の断熱材からなることを特徴とする請求項１または２に記載した嵌合式屋根材。
【請求項４】
前記起立係止片は、前記板状体の外表面とのなす角度が０〜４５°であることを特徴とする請求項１〜３のいずれか１項に記載した嵌合式屋根材。
【発明の詳細な説明】
【技術分野】
【０００１】
本発明は、一般住宅や事務所、マンション、福祉施設、リゾート施設等の屋根において幅広く使用される、嵌合式屋根材、とくに、断熱材等を芯材としてこれを外皮材と内皮材とで挟持したサンドイッチタイプの嵌合式屋根材に関するものである。
【背景技術】
【０００２】
芯材を外皮材と内皮材とで挟持したサンドイッチタイプの屋根材は、断熱性能が高く、軽量でありながら高い強度、耐久性、消音性を有しており、近年、その需要が増加する傾向にある。
【０００３】
嵌合式の縦葺き屋根材は、従来、一方の屋根材の端部に設けられた上ハゼを、他方の屋根材の端部に設けられた下ハゼに嵌合させることにより屋根材同士を桁方向につなぎ合わせることにより施工されていたが、近年、さらに屋根材の水上側の端部、水下側の端部にそれぞれ設けられた上継手、下継手を相互に連係させることにより屋根材同士を梁間方向につなぎ合わせる方法も開発されている。
【０００４】
ところで、この種の屋根材は、梁間方向における屋根材の水密性能および接続強度を高めるべく、屋根材の上継手に垂下係止片を設け、下継手に起立係止片を設けてそれらを相互に逆向きに折り返すことによってつなぎ合わせる、特許文献１に開示の如き接続構造を適用しようとすると、屋根材の芯材が下継手の起立係止片の上面に突き当ってしまうこととなり、そのつなぎ合わせが困難になることから、該芯材を、図１１に示すように、少なくとも下継手の起立係止片との突き当りを避けることができる分（ＬＨ）だけ短尺化せざるを得ないところ、この場合、芯材の突き合せ面には、図１２に示すように、断熱欠損を引き起こす隙間が形成されてしまう不具合があった。
【先行技術文献】
【特許文献】
【０００５】
【特許文献１】特開２０１６−２０５１２０号公報
【発明の概要】
【発明が解決しようとする課題】
【０００６】
本発明の目的は、主として断熱性能を損なうことなしに、屋根材同士をつなぎ合わせることができるサンドイッチタイプの嵌合式屋根材を提案するところにある。
【課題を解決するための手段】
【０００７】
本発明は、梁間方向に沿って延伸する一対の長尺縁部とこれら各長尺縁部を挟み込んで桁方向に沿って延伸する一対の短尺縁部とによって区画された輪郭形状を有する屋根材本体と、該屋根材本体の各長尺縁部のそれぞれに沿って一体連結する上ハゼ、下ハゼとを備え、
該各短尺縁部を、該屋根材本体の水下側、水上側にそれぞれ隣接配置する他の屋根材の短尺縁部に重ね合わせて屋根材同士を梁間方向へ接続する一方、該上ハゼ、下ハゼを、桁方向に隣接配置する別の屋根材の下ハゼ、上ハゼにそれぞれ嵌合させて屋根材同士を桁方向へ接続することにより建築構造物の屋根を葺きあげる嵌合式の屋根材であって、
該屋根材本体は、一方の短尺縁部に設けられ、水上側に隣接配置される他の屋根材の短尺縁部の下側において重ね合わさる下継手と、もう一方の短尺縁部に設けられ、水下側に隣接配置される他の屋根材の短尺縁部の上側において重ね合わさる上継手と、その背面に設けられ、内皮材との間にて挟持された芯材とを備え、
前記芯材は、水下側に隣接配置する他の屋根材の芯材の端面に形成された上向き傾斜端面に当接可能な下向き傾斜端面と、水上側に隣接配置する他の屋根材の芯材の端面に形成された下向き傾斜端面に当接可能な上向き傾斜端面とを有することを特徴とする嵌合式屋根材である。
【０００８】
上記の構成からなる嵌合式屋根材においては、
１）前記下継手は、該屋根材本体の短尺縁部の全域にわたってつながる板状体と、該板状体の幅方向の端縁および該上ハゼの端部につながるとともに水上側に隣接配置する他の屋根材の上ハゼに嵌合可能な第一のハゼと、該板状体のもう一方の幅方向の縁部および該下ハゼの端部につながるとともに水上側に隣接配置する他の屋根材の下ハゼに嵌合可能な第二のハゼと、前記板状体の先端縁にて立ち上がり水上側に隣接配置する他の屋根材との重ね合わせの際に折り返されて水上側に隣接配置する他の屋根材に連係可能な起立係止片とを有し、
該上継手は、該屋根材本体に面一状態で一体連結する第一の板状体と、該第一の板状体の幅方向の各端部および該上ハゼ、下ハゼにそれぞれ面一状態で一体連結する第三のハゼ、第四のハゼと、前記第一の板状体の先端縁において垂れ下がり水下側に隣接配置する他の屋根材との重ね合わせの際に折り返されて水下側に隣接配置する他の屋根材に連係可能な垂下係止片とを有すること、
２）前記芯材は、発泡プラスチック系または鉱物繊維系の断熱材からなること、
３）前記起立係止片は、前記板状体の外表面とのなす角度が０〜４５°であること、が課題解決のための具体的手段として好ましい。
【発明の効果】
【０００９】
本発明によれば、芯材に、水下側に隣接配置する他の屋根材の芯材の端面に形成された上向き傾斜端面に当接可能な下向き傾斜端面と、水上側に隣接配置する他の屋根材の芯材の端面に形成された下向き傾斜端面に当接可能な上向き傾斜端面とを設けたことにより、芯材を短尺化せずとも屋根材同士をつなぎ合わせることが可能となり、高い断熱性を維持することができる。
【００１０】
本発明によれば垂下係止片の折り返しにより、屋根材本体の短尺縁部は二枚重ね（１８０°曲げ）の状態となるため剛性が高まり、屋根材が凸状に膨らむ等の形状変形を回避ができる。
【図面の簡単な説明】
【００１１】
【図１】本発明にしたがう嵌合式屋根材の実施の形態を示した外観斜視図である。
【図２】図１に示した嵌合式屋根材の平面を示した図である。
【図３】（ａ）（ｂ）は、図１に示した嵌合式屋根材の正面および背面を示した図である（拡大表示）。
【図４】（ａ）（ｂ）は、図１に示した嵌合式屋根材の右側面および左側面を示した図である。
【図５】本発明にしたがう嵌合式屋根材のつなぎ合わせ状況を示した図である。
【図６】本発明にしたがう嵌合式屋根材のつなぎ合わせ状況を示した図である。
【図７】本発明にしたがう嵌合式屋根材と、水下側、水上側にそれぞれ隣接配置する他の屋根材とを梁間方向につなぎ合わせた状態を一部分について示した図である。
【図８】発明にしたがう嵌合式屋根材と、隣接配置する別の屋根材とを桁方向につなぎ合わせた状態を一部分について示した図である。
【図９】垂下係止片と起立係止片との長さ、角度の関係を示した図である。
【図１０】本発明にしたがう嵌合式屋根材を複数枚用いて建築構造物の屋根を葺きあげる場合の一例を部分的に示した図である。
【図１１】サンドイッチタイプの嵌合式屋根材をつなぎ合わせる際に生じていた不具合の説明図である。
【図１２】サンドイッチタイプの嵌合式屋根材をつなぎ合わせる際に生じていた不具合の説明図である。
【発明を実施するための形態】
【００１２】
以下、図面を参照して、本発明をより具体的に説明する。
図１は、本発明にしたがう嵌合式屋根材の実施の形態を示した外観斜視図であり、図２は、図１に示した嵌合式屋根材の平面を示した図であり、図３（ａ）（ｂ）は、図１に示した嵌合式屋根材の正面および背面を示した図であり（拡大表示）、図４（ａ）（ｂ）は、図１に示した嵌合式屋根材の右側面および左側面をそれぞれ示した図である。
【００１３】
本発明にしたがう嵌合式屋根材は、下継手が設けられた側を棟に向け、上継手が設けられた側を軒に向けて配置されるものであって、下継手が設けられた側が水上側、上継手が設けられた側が水下側とする。建築構造物の屋根を葺きあげるにあたっては、本発明にしたがう屋根材と同じ構成からなる屋根材を複数枚用いることを前提としており、隣接配置する他の屋根材、隣接配配置する別の屋根材についても本願発明にしたがう屋根材と同じ構成からなるものとする。また、屋根材の本体部分（屋根材本体）を構成する素材としては、厚さ０．２〜１．０ｍｍ程度になる亜鉛めっき鋼板、アルミニウム亜鉛合金めっき鋼板、銅板、アルミニウム板、ステンレス鋼板あるいは、それらの塗装または被覆鋼板等が用いられる。
【００１４】
図１〜４における符号１は、屋根材本体である。屋根材本体１は、梁間方向に沿って延伸する一対の長尺縁部１ａ、１ｂと、これら長尺縁部１ａ、１ｂを挟み込んで桁方向に沿って延伸する一対の短尺縁部１ｃ、１ｄによって区画された、全体として矩形状をなす輪郭形状を有している。
【００１５】
また、２は、屋根材本体１の長尺縁部１ａに一体連結するとともに、桁方向の一方に隣接配置する別の屋根材の下ハゼに嵌合して屋根材同士を接続する上ハゼである。
【００１６】
この上ハゼ２は、長尺縁部１ａから立ち上がる傾斜側板２ａと、この傾斜側板２ａの上端に係止顎部ｔ１を介してつながるとともに、桁方向に隣接配置する別の屋根材の下ハゼに嵌合可能な内部空間を有する先端先細り形状をなすドーム型の頭部２ｂと、この頭部２ｂに係止顎部ｔ２を介して垂下、保持され、傾斜側板２ａとの相互間にて下開き開口を形成する傾斜側板２ｃとから構成されている。上ハゼ２は、頭部２ｂの側壁に長尺縁部１ａに沿って延伸する凹部を設けることが可能であり、これにより、桁方向に隣接配置する別の屋根材の下ハゼに嵌合させた際に、その相互間で面接触するのを避けて雨水等の侵入を防止することができるようになっている。
【００１７】
また、３は、屋根材本体１の長尺縁部１ｂに一体連結するとともに、桁方向のもう一方に隣接配置する別の屋根材の下ハゼに嵌合して屋根材同士を接続する下ハゼである。
【００１８】
この下ハゼ３は、長尺縁部１ｂから立ち上がる側板３ａと、この側板３ａの上端に係止顎部ｔ３を介してつながるとともに、桁方向に隣接配置する他の屋根材の上ハゼに嵌合可能な先端先細り形状をなすドーム型の頭部３ｂと、この頭部３ｂに係止顎部ｔ４介して垂下、保持され、側板３ａとの相互間にて下開き開口を形成する側板３ｃと、この傾斜側板３の下端に水平姿勢でもって一体的につながる固定用舌片３ｄから構成されている。
【００１９】
係止顎部ｔ１と係止顎部ｔ２とは相互に逆向きに突出していて、両者でもって嵌合させたハゼの引き抜けを防止する。また、係止顎部ｔ３と係止顎部ｔ４とは、上記の係止顎部ｔ１、係止顎部ｔ２と同様に、相互に逆向きになっており、両者でもって嵌合させたハゼの引き抜けを防止する。
【００２０】
４は、屋根材本体１の短尺縁部１ｃに設けられた下継手である。この下継手４は、屋根材本体１の外表面に面一状態でつながり、かつ、水上側に隣接配置する他の屋根材の短尺縁部の下側において重ね合わさるものである（図７参照）。
【００２１】
下継手４は、具体的には、ロール成形により屋根材本体１、上ハゼ２、下ハゼ３と同一断面形状に形成したのち、プレス成形による絞り加工を施すことによって成形されるものであって、屋根材本体１の短尺縁部１ｃの全域にわたって面一状態でつながる板状体４ａと、この板状体４ａの幅方向の端縁および上ハゼ２の端部において該上ハゼ２よりも低い段差を介してつながるとともに水上側に隣接配置する他の屋根材の上ハゼ（上継手の第三のハゼに相当するもの）に嵌合可能な第一のハゼ４ｂと、該板状体４ａのもう一方の幅方向の縁部および下ハゼ３の端部において該下ハゼ３よりも低い段差を介してつながるとともに水上側に隣接配置する他の屋根材の下ハゼ（上継手の第四のハゼに相当するもの）に嵌合可能な第二のハゼ４ｃと、板状体４ａの先端縁にて立ち上がり水上側に隣接配置する他の屋根材との重ね合わせ際に折り返されて水上側に隣接配置する他の屋根材に連係可能な起立係止片４ｄとから構成されている。上記第二のハゼ４ｃの下端には、水平状態で下ハゼ３の固定用舌片３ｄにつながる舌片４ｅが設けられている。
【００２２】
また、５は、屋根材本体１のもう一方の短尺縁部１ｄに設けられた上継手（屋根の水下側に配置される）である。この上継手５は、屋根材本体１と面一状態でつながり、水下側に隣接配置する他の屋根材の短尺縁部（下継手に相当する部分）の上側において重ね合わさるものである。
【００２３】
上継手５は、具体的には、屋根材本体１に面一状態で一体連結する第一の板状体５ａと、この第一の板状体５ａの幅方向の各端部および上ハゼ２、下ハゼ３にそれぞれ面一状態で一体連結する第三のハゼ５ｂ、第四のハゼ５ｃと、第一の板状体５ａの先端縁において垂れ下がり水下側に隣接配置する他の屋根材との重ね合わせの際に折り返されて水下側に隣接配置する他の屋根材に連係可能な垂下係止片５ｄとを備えている。なお、屋根材本体１と上継手５とをわかりやすく表示するため図１ではその境界を破線で表示している。
【００２４】
また、符号６は、屋根材本体１の背面（裏面）に設けられた芯材、７は、芯材６を屋根材本体１との間で挟持する内皮材である。芯材６は、厚さ１０〜１００ｍｍ程度の発泡プラスチック系（ポリイソシアヌレートフォーム、ウレタン樹脂等）あるいは鉱物繊維系（ロックウール等）の断熱材が用いられ、内皮材７としては、表面にアルミ箔が付けられたクラフト紙あるいは屋根材本体１と同等の材質、厚さからなるものが用いられる。
【００２５】
芯材６は、長手方向の端部に、水下側に隣接配置する他の屋根材の芯材の端面に形成された上向き傾斜端面に当接可能な下向き傾斜端面６ａと、水上側に隣接配置する他の屋根材の芯材の端面に形成された下向き傾斜端面に当接可能な上向き傾斜端面６ｂとを有している。芯材６の幅方向の端面６ｃ、６ｄは、隣接配配置する別の屋根材の芯材の端面に当接可能な端面としてもよいし、隙間を隔てて位置する端面であってもよい。下向き傾斜端面６ａ、上向き傾斜端面６ｂの傾斜角度については、屋根材同士をつなぎ合わせる際に芯材６が突き当ることがない角度に設定されていればよい。
【００２６】
本発明にしたがう嵌合式屋根材は、屋根材本体１と内皮材７とによって芯材６を挟持したサンドイッチタイプの嵌合式屋根材を構成するものであり、図５に示すように、下継手４の第一のハゼ４ｂを、水上側において隣接配置する他の屋根材の上継手５′の第三のハゼ５ｂ′に、また、下継手４の第二のハゼ４ｃを、該水上側において隣接配置する屋根材の上継手５′の第四のハゼ５ｃ′にそれぞれ嵌合させる一方、上継手５の第三のハゼ５ｂを、水下側において隣接配置する他の屋根材の下継手４′の第一のハゼ４ｂ′に、また、上継手５の第四のハゼ５ｃを、水下側において隣接配置する他の屋根材の下継手４′の第二のハゼ４ｃ′に嵌合させることによって屋根材同士を梁間方向につなぎ合わせるものであり、また、図６に示すように、下ハゼ３を、隣接配置する別の屋根材の上ハゼ２′′を嵌合させ、上ハゼ２を、隣接配置する別の屋根材の下ハゼ３′′に嵌合させることによって屋根材同士を桁方向につなぎ合わせるものであって、この作業を、梁間方向で先行して行うことにより建築構造物の屋根を葺きあげるものである。
【００２７】
図７は、本発明にしたがう嵌合式屋根材と、水下側、水上側にそれぞれ隣接配置する他の屋根材とを梁間方向につなぎ合わせた状態を一部分について示した図であり、図８は、本発明に従う嵌合式屋根材と隣接配置する別の屋根材とを桁方向につなぎ合わせた状態を一部分について示した図である。
【００２８】
本発明にしたがう嵌合式屋根材は、芯材６の長手方向の端部に、水下側に隣接配置する他の屋根材の芯材６′の端面に形成された上向き傾斜端面６ｂ′に当接可能な下向き傾斜端面６ａと、水上側に隣接配置する他の屋根材の芯材６の端面に形成された下向き傾斜端面６ａ′に当接可能な上向き傾斜端面６ｂとを有しているため、芯材６を短尺化せずとも屋根材同士のつなぎ合わせが可能であり、これにより、下継手４の起立係止片４ｄは、水上側に隣接配置する他の屋根材の上継手５′の第一の板状体５ａ′による押圧で板状体４ａに向け折り返され（１８０°曲げ）、上継手５の垂下係止片５ｄは、水下側において隣接配置する他の屋根材の下継手４′の板状体４ａ′による押圧で第一の板状体５ａに向けて折り返され（１８０°曲げ）て両屋根材は相互に引き抜け不能に連係されることになる。この際に、芯材６、６′の相互間には断熱欠損を引き起こすような隙間が形成されることはない。
【００２９】
図９は、嵌合式屋根材の上継手５、下継手４のみを示した図である。起立係止片４ｅの、板状体４ａの外表面とのなす角度θ１を予め０〜４５°程度に、また、垂下係止片５ｄの、第一の板状体５ａの裏面とのなす角度θ２を０〜４５°程度にするのがよく、これによれば、屋根材同士を接続する際に、大きな力を要することなしに起立係止片４ｅ、垂下係止片５ｄを折り返すこと可能となり、比較的簡単な作業で屋根を効率的に葺あげることができる（初めから起立係止片４ｅを折り返しておくと、起立係止片４ｅと垂下係止片５ｄとを引掛ける作業が困難となる場合があるうえ、屋根材の表面処理層に傷を付けてしまうおそれもある）。
【００３０】
図１０は、本発明にしたがう嵌合式屋根材を複数枚用いて建築構造物の屋根を葺きあげる場合の一例を部分的に示した図である（芯材６、内皮材７の図示は省略）。
【００３１】
屋根材の配置手順としては、まず、野地板に二次防水紙のアスファルトルーフィングを敷設し、屋根材の働き幅に合わせて割付け、墨出しを行い、軒先に軒先水切りを取付けたのち（図示せず）、屋根の「けらば」の軒から墨出しに合わせて一列・一段目の屋根材を配置し、その屋根材の下ハゼ３の固定用舌片３ｄ、下継手４の舌片４ｄのそれぞれに所定間隔でもってビスをねじ込むか、あるいは釘等を打ち付けて野地板、母屋等に固定する。
【００３２】
次に、一列・二段目の屋根材（隣接配置する他の屋根材）を、既に固定された一列・一段目の屋根材の水上側（棟側）に配置して屋根材同士を接続する。一列・一段目の屋根材と一列・二段目の屋根材とを接続するには、一列・二段目の屋根材の上継手５を、一列・一段目の屋根材の下継手４に重ね合わせるべく、上継手５の第三のハゼ５ｂを、下継手４の第一のハゼ４ｂに、また上継手５の第四のハゼ５ｃを、下継手４の第二のハゼ４ｃに嵌合させればよい。このとき、一列・一段目の屋根材の下継手４の起立係止片４ｄ、一列・二段目の屋根材の上継手５の垂下係止片５ｄは、二枚重ねになるように折り返されることになり、両屋根材は、起立係止片４ｄ、垂下係止片５ｄにより引き抜け不能に連係される。一列・二段目の屋根材も下ハゼ３の固定用舌片３ｄ、下継手４の舌片４ｅにビスをねじ込むかあるいは釘等を打ち付けることによって野地板、母屋等に固定する。
【００３３】
上記の接続作業は、屋根の棟に達するまで繰り返し行い（梁間方向の接続）、一列目の接続作業を終えたならば、二列目の屋根材を配置する。
【００３４】
二列目の屋根材として、二列・一段目の屋根材を配置するには、既に固定された一列・一段目の屋根材の下ハゼ３に二列・一段目の屋根材の上ハゼ２を嵌合させるとともに、一列・二段目の屋根材の第四のハゼ５ｃに、二列・一段目の屋根材の第一のハゼ４ｂを嵌合させる（桁方向の接続）。
【００３５】
次いで、二列・二段目の屋根材の上ハゼ２を、一列・二段目の屋根材の下ハゼ３に、その第三のハゼ５ｂを二列・一段目の屋根材の第一のハゼ４ｂに、その第一のハゼ４ｂを、一列・二段目の屋根材の第二のハゼ４ｃにそれぞれ嵌合させればよく、二列目の屋根材の接続作業についても一列目の屋根材と同様に屋根の棟に達するまで繰り返し行う。
【００３６】
三列目以降の屋根材については、二列目の屋根材と同じ手順で梁間方向、桁方向に接続していけばよく、これにより建築構造物の屋根が葺あげられることになる。
【００３７】
下継手４の起立係止片４ｄ、上継手の垂下係止片５ｄは、本発明では、いずれも矩形状のものを例として示したが、その形状は適宜変更可能であり、図示のものに限定されることはない。
【産業上の利用可能性】
【００３８】
本発明によれば、断熱性、強度、耐久性、消音性等の促成を損なうことなしに、高い強度のもとに屋根材同士のつなぎ合わせを可能とするサンドイッチタイプの嵌合式屋根材が提供できる。
【符号の説明】
【００３９】
１      屋根材本体
１ａ    長尺縁部
１ｂ    長尺縁部
１ｃ    短尺縁部
１ｄ    短尺縁部
２      上ハゼ
２ａ    傾斜側板
２ｂ    頭部
２ｃ    傾斜側板
３      下ハゼ
３ａ    側板
３ｂ    頭部
３ｃ    側板
３ｄ    固定用舌片
４      下継手
４ａ    板状体
４ｂ    第一のハゼ
４ｃ    第二のハゼ
４ｄ    起立係止片
４ｅ    舌片
５      上継手
５ａ    第一の板状体
５ｂ    第三のハゼ
５ｃ    第四のハゼ
５ｄ    垂下係止片
６      芯材
６ａ    下向き傾斜端面
６ｂ    上向き傾斜端面
６ｄ    幅方向の端面
６ｃ    幅方向の端面
７      内皮材
【図１】
2020111988.tif 000003
【図２】
2020111988.tif 000004
【図３】
2020111988.tif 000005
【図４】
2020111988.tif 000006
【図５】
2020111988.tif 000007
【図６】
2020111988.tif 000008
【図７】
2020111988.tif 000009
【図８】
2020111988.tif 000010
【図９】
2020111988.tif 000011
【図１０】
2020111988.tif 000012
【図１１】
2020111988.tif 000013
【図１２】
2020111988.tif 000014